(57)【要約】      （修正有）【課題】柔らか・伸び・肌への密着性・引裂け難い・エンボス加工生地も可・超低価格である衛生用マスクを提供する。【解決手段】衛生用マスクは、薄い「低密度ポリエチレン」の「低密度プラスチックシート」を、マスクに適した全体形にして、口鼻部の呼吸に当る一帯を適当形の呼吸口７に打抜き、さらに左右端部対象に耳掛切目を数本並列して入れるか、耳掛穴３を一対打抜いてマスクベース本体１を成しており、さらに呼吸口７にウイルスカット不織布２を溶着６して塞いでおり、その際、呼吸口７部分を凸に熱成型しても良く、さらにマスクベース本体１上部の鼻柱に当る位置に、一般的に知られるノーズワイヤー５を一体化している。【選択図】図１
0003228713.tif 000002
【実用新案登録請求の範囲】
【請求項１】
柔らか・伸び・肌への密着性・引裂け難い・超低価格等、マスク用に最適特性の薄い「低密度ポリエチレン」等の「低密度プラスチックシート（ビニール）」を、マスクに適した全体形にして、口鼻部の呼吸に当る一帯を適当形の「呼吸口７」に打抜き、さらに左右端部対象にマスクを耳に掛けるのに適した、「耳掛穴３」を一対打抜いて「マスクベース本体１」を成しており、さらに「呼吸口７」に「ウイルスカット不織布２」を「溶着６」して塞いでおり、さらに「マスクベース本体１」上部の鼻柱に当る位置に、一般的に知られる「ノーズワイヤー５」を一体化したものを特徴とする、一枚の「低密度プラスチックシート（ビニール）」でマスク本体を成し、口鼻部のみ「ウィルスカット不織布」とした衛生用マスク。
【請求項２】
請求項１において、「耳掛穴３」一対打抜かずに、耳に掛けて顔に隙間を生じにくく最適な掛け心地形の「耳掛切目４」を、各自の顔に合わせて選べるよう数本打抜く事もできる、一枚の「低密度プラスチックシート（ビニール）」でマスク本体を成し、口鼻部のみ「ウィルスカット不織布」とした衛生用マスク。
【請求項３】
請求項１・２において、マスクを掛けた際、口鼻部をゆったりできるよう「呼吸口７」部分を、熱成型により凸にすることもできる、一枚の「低密度プラスチックシート（ビニール）」でマスク本体を成し、口鼻部のみ「ウィルスカット不織布」とした衛生用マスク。
【請求項４】
請求項１・２・３において、「マスクベース本体１」に用いる「低密度プラスチックシート」は、透明以外に色物・白・乳白色・印刷を施したものを用いることもできる、一枚の「低密度プラスチックシート（ビニール）」でマスク本体を成し、口鼻部のみ「ウィルスカット不織布」とした衛生用マスク。
【考案の詳細な説明】
【技術分野】
【０００１】  本考案は、ウィルス・細菌・花粉・ホコリ等を、呼吸時に口鼻からの侵入を防ぐために、「布マスク」「不織布マスク」を用いる分野に関するものである。
【背景技術】
【０００２】  従来一般的に多用されている衛生マスクにおいては、布を何枚も重ね縫製で成した「布マスク」と、「不織布」を重ねた間に「ウィルスガード不織布」等を挟み込んで、溶着により成した「不織布マスク」とがある。
【考案の開示】
【考案が解決しようとする課題】
【０００３】  従来の一般的衛生用マスクにおいては、布・不織布製なので柔らかさ・伸び・肌への密着性に欠け、顔とマスクの間に隙間を生じる上、生地自体ウィルス等を透す欠点があった。【０００４】  また、布・不織布は値段も高い上、マスクにする製造手間もかかる為、大量生産・供給性・安価性に欠け、再利用する為ウィルス等の付着で不衛生であり、これらの問題を解決する衛生用マスクの提供を目的としている。
【課題を解決するための手段】
【０００５】  上記目的を達成するために、本考案の衛生用マスクにおいては、柔らか・伸び・肌への密着性・引裂け難い・超低価格等、マスク用に最適特性の薄い「低密度ポリエチレン」等の「低密度プラスチックシート」を、四角形・楕円形様等のマスクに適した全体形にして、口鼻部の呼吸に当る一帯を適当形の「呼吸口７」に打抜き、さらに左右端部対象にマスクを耳に掛けるのに適した、「耳掛切目４」を数本並列して入れるか、「耳掛穴３」を一対打抜いて「マスクベース本体１」を成しており、さらに「呼吸口７」に「ウイルスカット不織布２」を「溶着６」して塞いでおり、その際、「呼吸口７」部分を凸に熱成型しても良く、さらに「マスクベース本体１」上部の鼻柱に当る位置に、一般的に知られる「ノーズワイヤー５」を一体化して課題を解決したものである。
【考案の効果】
【０００６】  「マスクベース本体１」に「低密度プラスチックシート」を用いる事により、マスクと顔の間に隙間を生じず良好にフィットする効果があり、その上素材自体がウイルス等も全く透さず静電気も帯びているので、ウイルス等の侵入防止効果も超大である。【０００７】  また「低密度プラスチックシート」一枚を打抜き加工するだけで、簡単・超低価格に「マスクベース本体１」を製造できる上、口鼻部のみに「ウイルスカット不織布２」を用いる為、生地代も超節約となり、「ノーズワイヤー５」の装着も簡単なので、従来衛生マスクに比べ超低価格・大量生産・大量供給できる効果がある。【０００８】  また、マスクを耳に掛けるのも、ゴム等の装着でないので耳が痛くならず、数本「耳掛切目４」が入っているので、顔の大きさに合わせて選べ、容易に引き千切れる事も無く、ソフトで良好な掛け心地効果を得られる。また、透明の「低密度プラスチックシート」を用いた場合、口鼻部のみ覆われるだけなので、従来衛生マスクに比べ顔が良く見え鬱陶しさが軽減される効果もある。さらに「呼吸口７」を凸にしたマスクでは、口鼻部をゆったり楽にできる効果がある。
【考案を実施するための最良の形態】
【０００９】  ０，０２ｍｍ〜０，０５ｍｍ位の薄い「低密度ポリエチレン」等の「低密度プラスチックシート」素材一枚で、楕円形様等のマスクに適した形で「マスクベース本体１」を成し、そのほぼ中央で口鼻の呼吸部分に当たる一帯を、円外形のパンチング穴群に打抜き、それより若干大きめの円外形にした、「ウイルスカット不織布２」外周を、熱溶着・超音波シール等で「マスクベース本体１」に「溶着６」して塞ぎ一体化。【００１０】  さらに、その上部で鼻柱に添ってマスクをフィットできるよう、「ノーズワイヤー５」を「マスクベース本体１」上部中央に、熱溶着・超音波シール・粘着等で一体化。また「マスクベース本体１」左右端部対象に、耳に掛けて良好な一対の「耳掛穴３」を打抜いている。
【実施例】
【００１１】    透明・色物・印刷柄を施した「低密度プラスチックシート」の「ベース本体１」は、伸びて・裂け難く・顔にピッタリフィツトし、隙間が若干できたとしても静電気を帯びているのでウィルス等も吸着され、空気・ウィルス等を殆ど透さないので、呼吸に必用な口鼻部の「ウィルスカット不織布２」部のみで、ウィルス等をカットされた空気を吸入できる。また「ベース本体１」の「呼吸口７」は、パンチング穴群形以外に四角・円・楕円・格子・模様等にしても良い上、口鼻部をゆったりできるよう熱成型により凸にしても良い。【００１２】    そして、どうしても隙間を生じる鼻柱の凸部分に当たる所に、「マスクベース本体１」に溶着・超音波シール・粘着等で、「ノーズワイヤー５」を装着することにより、鼻柱に添って曲げられマスクをフィットできる。【００１３】    さらに、耳に掛けるのに最適な形・位置で「耳掛穴３」を、「マスクベース本体１」左右端部対象に一対打ち抜いているが、耳に掛けて顔に隙間を生じにくい、最適な形の「耳掛切目４」を数本打抜くこともでき、各自の顔にあった「耳掛切目４」の所で、素材特性の伸び・引裂き強度で引き千切れず良好にマスクを掛ける事ができる。
【図面の簡単な説明】
【００１４】    図１は「ベース本体１」に透明「低密度プラスチックシート」を用いた図であり、各図の各部は、どれに入れ替え組み合わせて成しても良い。
【図１】  本考案の衛生用マスクの一実施例を示す正面図である。
【図２】  本衛生用マスク各部の形状を変えた実施例を示す正面図である。
【図３】  本衛生用マスク各部の形状を変えた実施例を示す正面図である。
【図４】  本衛生用マスクの「呼吸口７」部を凸にした実施例を示す部分斜視図である。
【符号の説明】
【００１５】１  マスクベース本体
２  ウィルスカット不織布
３  耳掛穴
４  耳掛切目
５  ノーズフィツト
６  溶着
７  呼吸口
【図１】
0003228713.tif 000003
【図２】
0003228713.tif 000004
【図３】
0003228713.tif 000005
【図４】
0003228713.tif 000006
【手続補正書】
【提出日】令和2年7月8日(2020.7.8)
【手続補正１】
【補正対象書類名】実用新案登録請求の範囲
【補正対象項目名】全文
【補正方法】変更
【補正の内容】
【実用新案登録請求の範囲】
【請求項１】
柔らか・伸び・肌への密着性・引裂け難い・エンボス加工生地も可・超低価格である、マスク用に最適特性の薄い「低密度ポリエチレン」の「合成樹脂製シート」を、マスク形にした上、口鼻部の呼吸に当る部分を、パンチング穴郡形・四角・円・楕円・格子・模様に打抜いて「呼吸口（７）」とし、さらに左右端部対象に、マスクを耳に掛けられる「耳掛穴（３）」を一対打抜いて、「マスクベース本体（１）」を成しており、さらに「呼吸口（７）」に「ウイルスカット不織布（２）」を「溶着（６）」して塞いだ上、「マスクベース本体（１）」上部の鼻柱に当る位置に、一般的に知られる「ノーズワイヤー（５）」を一体化したものを特徴とする、一枚の「合成樹脂製シート」でマスク本体を成し、口鼻部のみ「ウィルスカット不織布」とした衛生用マスク。
【請求項２】
請求項１において、「耳掛穴（３）」一対打抜かずに、耳に掛けられる切目の「耳掛切目（４）」を、各自の顔に合わせて選べるよう数本打抜いた、一枚の「合成樹脂製シート」でマスク本体を成し、口鼻部のみ「ウィルスカット不織布」とした衛生用マスク。
【請求項３】
請求項１または２記載の、マスクを掛けた際、口鼻部をゆったりできるよう「呼吸口（７）」部分を、熱成型により凸にすることもできる、一枚の「合成樹脂製シート」でマスク本体を成し、口鼻部のみ「ウィルスカット不織布」とした衛生用マスク。
【請求項４】
請求項１〜３のいずれか一項に記載の、「マスクベース本体（１）」に用いる「合成樹脂製シート」は、透明以外に色物・白・乳白色・印刷を施したものを用いることもできる、一枚の「合成樹脂製シート」でマスク本体を成し、口鼻部のみ「ウィルスカット不織布」とした衛生用マスク。